(57)【特許請求の範囲】
【請求項１】
ハウジング内に、上流端に燃焼ガスの噴射ノズルおよび一次空気の吸入口を有し下流端に炎孔を有する主バーナと、該主バーナに着火させるためのパイロットバーナと、圧電体、該圧電体に打撃を付与するためのハンマー、および点火操作手段の操作により前記ハンマーの位置エネルギーを付与して前記ハンマーを前記圧電体に衝突させる殴打機構を有する圧電装置と、前記圧電体で発生させた電力を火花放電させ前記パイロットバーナの炎孔に点火させるスパーカーとを備えた圧電着火式ガス燃焼器において、
前記一次空気の吸入口と、前記主バーナの炎孔および前記パイロットバーナの炎孔とを区隔する防炎部材を取り付けたことを特徴とする圧電着火式ガス燃焼器。
【発明の詳細な説明】
【０００１】
【発明の属する技術分野】
この発明は、点火操作が異常にゆっくりなされた場合の圧電着火式ガス燃焼器の安全性の向上に関する。
【０００２】
【従来の技術】
ガスこんろ等の圧電着火式ガス燃焼器は、圧電素子を組み込んだ圧電装置と、この圧電装置に打撃を付与するハンマーを組み込んだ殴打機構とを備える。殴打機構は点火摘みを操作すると、スプリングなどの付勢手段に位置エネルギーが蓄積される。所定操作位置で位置エネルギーが開放され、ハンマーが付勢されて圧電装置を打撃する。この際に生じた電力は、バーナの炎孔に臨んで配されたスパーカーで火花放電し、着火がなされる。
【０００３】
パイロットバーナまたはバーナは、火花放電の時期に合わせて燃料ガスが炎孔から吹き出しているように開弁時期が設定されている。この点火操作は、点火摘みを回動させたり、点火レバーをスライドさせるなどの操作で行われ、操作時間は通常、１秒以内で完了する。このため、パイロットバーナまたはバーナから吹き出した燃料ガスはバーナの炎孔の近傍のみに存在し、ハウジング内に充満することはない。
【０００４】
【発明が解決しようとする課題】
しかるに、この点火操作が数秒以上と異常にゆっくりなされた場合は、パイロットバーナまたはバーナから吹き出した燃料ガスがハウジング内に充満する。このため、火花放電が生じたときにハウジング内に充満したガスが一時に燃焼してバーナの一次空気の吸入口内に火が入り、バーナの燃料ガスの噴射ノズルが着火して燃焼が継続する。この結果、バーナが過熱して、熱変形が生じたり耐久性が低下する問題が生じる。
【０００５】
この発明の目的は、点火操作が異常にゆっくりなされた場合においても、バーナの一次空気の吸入口から火炎が侵入してバーナの燃料ガスの噴射ノズルに着火することを防止できる圧電着火式ガス燃焼器の提供にある。
【０００６】
【課題を解決するための手段】
この発明は、ハウジング内に、上流端に燃焼ガスの噴射ノズルおよび一次空気の吸入口を有し下流端に炎孔を有する主バーナと、該主バーナに着火させるためのパイロットバーナと、圧電体、該圧電体に打撃を付与するためのハンマー、および点火操作手段の操作により前記ハンマーの位置エネルギーを付与して前記ハンマーを前記圧電体に衝突させる殴打機構を有する圧電装置と、前記圧電体で発生させた電力を火花放電させ前記パイロットバーナの炎孔に点火させるスパーカーとを備えた圧電着火式ガス燃焼器において、前記一次空気の吸入口と、前記主バーナの炎孔および前記パイロットバーナの炎孔とを区隔する防炎部材を取り付けたことを特徴とする。
【０００７】
【発明の作用および効果】
この発明では、ハウジング内に燃料ガスが充満している状態において火花放電がなされた場合でも、火炎は防炎部材により遮断されてバーナの一次空気の吸入口内に伝播することが阻止される。このため、点火操作が異常にゆっくりなされても、バーナの燃料ガスの噴射ノズルで着火、燃焼してバーナが過熱する不具合を防止できる。
【０００８】
【発明の実施の形態】
圧電着火式ガス燃焼器であるガスこんろ１００は、偏平な箱状のハウジング１を備える。ハウジング１は、略正方形の底板１１、該底板１１の外周を上方に延長した側壁１２、および該側壁１２の上端の開口を塞ぐように着脱可能に締結されるとともにバーナ窓１３が開けられた天板１４からなる。ハウジング１内には、中央付近に主バーナ２が取り付けられ、該主バーナ２の前方にパイロットバーナ３（図３参照）が装着されている。
【０００９】
ハウジング１内の右前部には、主バーナ２およびパイロットバーナ３への燃料ガスを供給するためのコック機構４が取り付けられている。パイロットバーナ３には、該パイロットバーナ３に点火するためのスパーカー３１が付設されている。コック機構４にはスパーカー３１（図３参照）に高圧電力を供給するための圧電装置５が装着されている。
【００１０】
主バーナ２は、上流端に前方を指向したエジェクタ２１、下流端に環状炎孔および中央炎孔を有するとともに、バーナ窓１３に臨んだバーナヘッド２２を有する。エジェクタ２１とバーナヘッド２２とは、略Ｊ字形の混合管２３で連結されている。エジェクタ２１には、一次空気の吸入口２４を有する蓋板２５が端面に回動可能に蓋着され、蓋板２５の中心に燃料ガスの噴射ノズル２６が差し込まれている。
【００１１】
この実施例では、エジェクタ２１および混合管２３は、プレス成型され、膨出部と該膨出部を囲む平板部とからなる２枚の板を上下に合わせて形成され、膨出部により構成される流路部２Ａと、平板部を重ねて形成され該流路部２Ａの突き合わせ面から外方向に延設された縁板部２Ｂとを有する。
【００１２】
パイロットバーナ３は、略Ｌ字形の保持板３３、該保持板３３の下面に固定された図示しないパイロットノズルを介して装着されたパイロット連結管３４、およびパイロット連結管３４のパイロット炎孔３５の下方から斜め上方に取り付けた樋状の火炎ガイド板３６を有する。パイロット連結管３４は、バーナ火炎がバーナヘッド２２の炎孔に近接する方向に指向して取り付けられている。
【００１３】
コック機構４は、前後方向に設置された幹管４１を有するコックボディ４２、幹管４１に前側から差し込まれるとともにハウジング１の側壁１２の前板部を貫通して配された回動操作軸４３、該回動操作軸４３の先端部に取り付けられた操作摘み４４を備える。幹管４１から右方にガス供給パイプに連結されるガス管４５が連結され、左方に噴射ノズル２６へ接続する主バーナ支管４６およびパイロットバーナ３へ接続するパイロット支管４７が突設されている。
【００１４】
圧電装置５は、回動操作軸４３と交差して縦に固定された基板５１と、その上部に横に列設された圧電体５２および殴打機構５３を備える。圧電体５２は、耐電圧被覆リード線３２によりスパーカー３１に接続されている。殴打機構５３は、係合面５４が設けられたハンマー５５と、該ハンマー５５に背設されたスプリング５６と、回動操作軸４３に取り付けられた係合爪５７付き駆動板５８からなる。
【００１５】
操作摘み４４を左回転させると、回動操作軸４３の回動に伴い係合爪５７がハンマー５５の係合面５４に引っ掛かり、ハンマー５５を左方向に変位させてスプリング５６を圧縮する。回動操作の所定位置で係合爪５７と係合面５４との引っ掛かりが外れ、スプリング５６の付勢力でハンマー５５は圧電体５２に衝突する。
【００１６】
これにより、圧電装置５で発生した電力は、スパーカー３１に火花放電が発生する。回動操作軸４３に連動する弁体の作動により、火花放電の発生より幾分前に主バーナ２のコックおよびパイロットバーナ３のコック（いずれも図示せず）が開くように設定されている。このため、まずパイロットバーナ３のパイロット炎孔３５が点火され、パイロット火炎が形成され、このパイロット火炎により主バーナ２の炎孔に着火がなされる。
【００１７】
この点火操作は、通常、１秒以内なされるが、数秒という異常にゆっくり回動操作がなされると、主バーナ２およびパイロットバーナ３から吹き出した燃料ガスがハウジング１内に充満し、火花放電により大きな火炎が発生する。これは瞬間的な現象であり、あまり不都合はないが、この火炎が主バーナ２の一次空気の吸入口２４からエジェクタ２１に入りこみ、噴射ノズル２６に引火すると、エジェクタ２１内で燃焼が継続して主バーナ２が過熱し、主バーナ２の耐久性が損なわれたり、熱変形が生じたり、近くの機器に悪影響を与えたりする。
【００１８】
この発明では、主バーナ２の一次空気の吸入口２４と、並設されるパイロットバーナ３および主バーナ２の炎孔とを区隔する防炎部材としての鉄板製の区隔板６を設けている。区隔板６は、図５に示す如く、前後方向に長い天板部６１、該天板部６１の左側を斜め下方に延長した左側傾斜壁部６２、該左側傾斜壁部６２の下端を下方に延長した左側壁部６３を有する。左側傾斜壁部６２と左側壁部６３との連結部にはスリット状の切り欠き６４が形成されている。
【００１９】
天板部６１の右側には、右側壁部６５が下方に延長されている。天板部６１の前部には右側延長部６６が設けられ、該右側延長部６６の前端角には、締結穴６７が形成されている。コックボディ４２の前端部の上面にネジ穴付き締結座４８が設けられており、区隔板６は、締結穴６７を挿通させたネジ６８により締結座４８に締結されている。
【００２０】
天板部６１は、コックボディ４２の主バーナ支管４６およびパイロット支管４７、エジェクタ２１および混合管２３の一部の上方を覆い、左側傾斜壁部６２と左側壁部６３は、バーナヘッド２２およびパイロットバーナ３と、パイロット支管４７、エジェクタ２１および混合管２３の一部とを区隔している。切り欠き６４は、主バーナ２の縁板部２Ｂとの干渉を防ぐために形成されている。
【００２１】
防炎部材は、パンチングメタルで形成した区隔板６であってもよく、一次空気の吸入口２４とハウジング１の外部とを連通する筒体であってもよい。
【図面の簡単な説明】
【図１】ガスこんろの区隔板の組付斜視図である。
【図２】天板を外したガスこんろの斜視図である。
【図３】圧電装置の斜視図である。
【図４】区隔板の斜視図である。
【図５】区隔板の斜視図である。
【図６】ガスこんろの要部拡大断面図である。
【符号の説明】
１  ハウジング
２  主バーナ
３  パイロットバーナ
４  コック機構
５  圧電装置
６  区隔板（防炎部材）
２４  一次空気の吸入口
２６  噴射ノズル
３１  スパーカー
３５  パイロット炎孔
４４  操作摘み（点火操作手段）
５２  圧電体
５３  殴打機構
５５  ハンマー
１００  ガスこんろ（圧電着火式ガス燃焼器）
【図１】
0003675555.tif 000002
【図２】
0003675555.tif 000003
【図３】
0003675555.tif 000004
【図４】
0003675555.tif 000005
【図５】
0003675555.tif 000006
【図６】
0003675555.tif 000007